(57)【要約】【課題】路面下に埋設された下水道のマンホールからの熱気と悪臭を遮断し、何等の操作を必要とせずに雨水などの流入を許容して通年で使用でき、折り畳むことにより重ね合わせができ、作動が確実で耐久性に優れ、構造が簡単で安価な断熱防臭シートを提供する。【解決手段】薄くて軟質かつ気密性のシートからなり、リング状の取付部１１と、取付部１１から下方に倒立円錐又は角錐形状に胴部１２を設け、胴部１２の下端頂部から下方に弁部１３を連設し、取付部１１をマンホール１の蓋４と受枠３の間に固定し、弁部１３はシートを２枚合わせとし両側部を止着し上下を開放した。【選択図】図１
2004225371.tif 000002
【特許請求の範囲】
【請求項１】
薄くて軟質かつ気密性のシートからなり、リング状の取付部と、取付部から下方に倒立円錐又は角錐形状に胴部を設け、胴部の下端頂部から下方に弁部を連設し、取付部をマンホールの蓋と受枠の間に固定し、弁部はシートを２枚合わせとし両側部を止着し上下を開放したマンホールの断熱防臭シート。
【発明の詳細な説明】
【０００１】
【発明の属する技術分野】
本発明は、路面下に埋設された下水道のマンホールからの熱気と悪臭を遮断する断熱防臭シートに関する。
【０００２】
【従来の技術】
【特許文献１】実公昭５２−１２３７３号公報
【特許文献２】特開２００１−３０３６０３号公報
【０００３】
路面下に埋設された下水道の汚水管には生活排水や地熱により熱気がたまり、そのマンホールから熱気が地上に放出される。その熱気により、積雪地帯ではマンホール蓋の上の雪が融けて穴となり、その段差により車両等の通行に障害が生じていた。
【０００４】
そこで、マンホール蓋の下に弾性ゴムなどからなる中空断熱体を設けたものが、実公昭５２−１２３７３号として提案されている。
【０００５】
この中空断熱体は、上下部材相互間に保持され空気を注入すると膨張するもので、膨張時に外周方向へ大きく突出して、その外周部がマンホールの内周壁に圧接して熱気を遮断するものである。
【０００６】
なお、この中空断熱体によるものは、季節的な変化により断熱が不要になった場合には、空気を抜いて収縮させマンホールの内周壁から離し上下を連通させるもので、マンホール蓋の孔から流入した融雪水や雨水を下水道に導く。
【０００７】
しかし、夏季に中空断熱体の上下を連通させているため、汚水管から発生する悪臭がマンホール蓋の孔から外気に放出される。
【０００８】
そこで、季節毎の操作を必要とせず、熱気と悪臭を遮断し、雨水などの流入を許容する断熱防臭装置が、特開２００１−３０３６０３号として提案されている。
【０００９】
この断熱防臭装置は、流下水受け部と弁部から構成され、流下水受け部は上方に向けラッパ状に構成された流下水受けと、流下水受けの中心に連通垂下させた縦パイプと、流下水受けの上方周囲に外方に向け水平に連設された取付け用縁から構成され、弁部は流下水受け部における縦パイプに取付けられ、弁部は流下水受け部に流入する雨水の量が所定量を越えると開放して雨水を流下させるものである。
【００１０】
【発明が解決しようとする課題】
上記の断熱防臭装置の、流下水受け部は断熱性を有する合成樹脂の剛体でラッパ状に構成され、弁部にウエイトの突出部を有する構造のため、重ね合わせができず収納・運搬が容易ではない。
【００１１】
また弁部は、支点により回動し縦パイプを開閉する弁体と、弁体から外方に向けて突出したウエイトからなり、可動部にゴミが詰まるなど長期間の弁部の作動に不確実さがあり、構造が複雑でコスト高となっている。
【００１２】
そこで本発明では、マンホールからの熱気と悪臭を遮断し、何等の操作を必要とせずに雨水などの流入を許容して通年で使用でき、折り畳むことにより重ね合わせができ、作動が確実で耐久性に優れ、構造が簡単で安価なマンホールの断熱防臭シートを提供する事を目的とする。
【００１３】
【課題を解決するための手段】
本発明のマンホールの断熱防臭シート１０は、薄くて軟質かつ気密性のシートからなり、リング状の取付部１１と、取付部１１から下方に倒立円錐又は角錐形状に胴部１２を設け、胴部１２の下端頂部から下方に弁部１３を連設し、取付部１１をマンホール１の蓋４と受枠３の間に固定し、弁部１３はシートを２枚合わせとし両側部１３ｂを止着し上下を開放したものである。
【００１４】
【発明の実施の形態】
本発明では、リング状の取付部１１と、取付部１１から下方に倒立円錐又は角錐形状に胴部１２を設け、胴部１２の下端頂部から下方に弁部１３を連設し、取付部１１をマンホール１の蓋４と受枠３の間に固定したから、マンホール１からの熱気と悪臭を遮断できる。
【００１５】
また、取付部１１から下方に倒立円錐又は角錐形状に胴部１２を設け、胴部１２の下端頂部から下方に弁部１３を連設し、弁部１３はシートを２枚合わせとし両側部１３ｂを止着し上下を開放したから、蓋４の孔から流入した雨水などが胴部１２により下端頂部に集められ、２枚合わせの弁部１３を押し開いてマンホール１内に流下する。
【００１６】
また、断熱防臭シート１０は薄くて軟質かつ気密性のシートからなり、折り畳むことにより重ね合わせができる。
【００１７】
また、弁部１３はシートを２枚合わせとし両側部１３ｂを止着し上下を開放したから、異物が付着しても流入した雨水などにより自然と洗い流され、作動が確実でかつ構造が簡単である。
【００１８】
【実施例】
以下、本発明の一実施例につき図面を参照して説明する。
【００１９】
図１に示すのは路面５下に埋設された下水道の分流式の汚水管のマンホール１である。下水道の雨水管には融雪水や雨水のみが流れ、熱気と悪臭の問題は少ない。合流式の雨水汚水混合管には生活排水も流れ、熱気と悪臭の問題があり、本発明の断熱防臭シートが適用できる。
【００２０】
マンホール１には、マンホール直壁の上にマンホール斜壁２が設けられ、マンホール斜壁２の上に調整リングや無収縮モルタルを介して受枠３がアンカーボルトで固定される。
【００２１】
受枠３の上にマンホール１の蓋４が載せられる。蓋４は通常の円形のものを示しており、その外径が約６０ｃｍである。
【００２２】
断熱防臭シート１０は、蓋４と受枠３の間から設けられる。
【００２３】
断熱防臭シート１０は、薄くて軟質かつ気密性のシートからなり、テント生地のように合成樹脂クロスに合成樹脂シートを積層したものである。このシート生地を略扇形の所要の形状に裁断又は型抜きし、その２枚を融着や縫製などにより形成される。
【００２４】
円形リング状の取付部１１は、シート端部を折り返して連通した袋状に形成し、その中にステンレスなど鋼製の切れ目の有るリングを通す。この切れ目は、多少外径の異なるマンホール１の蓋４にも対応し、断熱防臭シート１０を張った状態に保ち取り扱いし易くする。
【００２５】
取付部１１の外径は受枠３の内径より大とし、取付部１１が受枠３の蓋４の載置部に載るようにする。また、取付部１１の上に蓋４が載るため、取付部１１の厚さは可能な限り薄く形成するのが望ましい。
【００２６】
取付部１１の内側から下方に倒立円錐形状に胴部１２を設ける。この胴部１２は、蓋４の孔から流入した雨水などを下端頂部に集め、マンホール１からの熱気と悪臭を遮断する。
【００２７】
胴部１２の側面に複数の逃がし孔１２ａを設け、逃がし孔１２ａに対応する胴部１２内側に弁シート１４を設け、弁シート１４の上側と両側を胴部１２に融着や縫製などにより止着する。
【００２８】
逃がし孔１２ａは、万一、下水道管内で大量のガスが発生し管内の内圧が上昇して蓋４が持ち上げられたり、洪水により水圧で蓋４が持ち上げられるのを防ぐためのもので、通常は弁シート１４の自重により塞がれ雨水などが逃がし孔１２ａから流下しない構造となっている。
【００２９】
胴部１２の下端頂部から下方に弁部１３を連設する。
【００３０】
弁部１３は、四角形状のシートを２枚合わせとし、両側部１３ｂを融着や縫製などにより止着する。弁部１３の上端は胴部１２に連通し開放され、下端１３ｂは開放して雨水などが流下する。
【００３１】
通常の弁部１３はそのシート生地の張りにより密着している状態が望ましく、開き加減となる場合は弁部１３の中間部も止着して良い。
【００３２】
次に、断熱防臭シート１０の装着方法について説明する。
【００３３】
マンホール１の蓋４を取り外し、断熱防臭シート１０の弁部１３を下にして装着する。なお、断熱防臭シート１０の取付部１１の外径は受枠３の内径より大としているから、断熱防臭シート１０をマンホール１内に落とす心配はない。
【００３４】
取付部１１を受枠３の蓋４の載置部に載せ、その上に蓋４を載せて完了する。これにより、取付部１１はマンホール１の蓋４と受枠３の間に固定される。
【００３５】
以上の実施例では、マンホール１の蓋４として円形の例を示したが、四角の蓋４のものに適用しても良い。その場合、取付部１１も四角のリング状とし、胴部１２は倒立四角錐形状にすると良い。
【００３６】
また、倒立円錐形状の胴部１２と弁部１３が一つのものを示したが、胴部１２と弁部１３を複数設けるようにしても良い。その場合の胴部１２は倒立円錐又は四角錐形状以外の錐形状にすると良い。
【００３７】
また、断熱防臭シート１０として、テント生地のように合成樹脂クロスに合成樹脂シートを積層したものを示したが、断熱防臭シート１０は薄くて軟質かつ気密性のシートで形成されていれば良く、単層の合成樹脂シート又はフィルムや帆布入りゴムシートなどでも良い。
【００３８】
【発明の効果】
本発明によれば、リング状の取付部と、取付部から下方に倒立円錐又は角錐形状に胴部を設け、胴部の下端頂部から下方に弁部を連設し、取付部をマンホールの蓋と受枠の間に固定し、マンホールからの熱気と悪臭を遮断できるから、その熱気により蓋の上の雪が融けて穴となり段差により車両等の通行に障害が生じることがなく、その悪臭が蓋の孔から外気に放出されることがない。
【００３９】
また、取付部から下方に倒立円錐又は角錐形状に胴部を設け、胴部の下端頂部から下方に弁部を連設し、弁部はシートを２枚合わせとし両側部を止着し上下を開放し、蓋の孔から流入した雨水などが胴部により下端頂部に集められ、２枚合わせの弁部を押し開いてマンホール１内に流下するから、何等の操作を必要とせずに通年で使用できる。
【００４０】
また、断熱防臭シートは薄くて軟質かつ気密性のシートからなり、折り畳むことにより重ね合わせができるから、軽くて嵩が小さくなり収納や運搬が容易となる。
【００４１】
また、弁部はシートを２枚合わせとし両側部を止着し上下を開放し、異物が付着しても流入した雨水などにより自然と洗い流され、作動が確実で長期間の使用に耐え、かつ構造が簡単で安価に提供できる。
【図面の簡単な説明】
【図１】マンホールの断熱防臭シートの一実施例を示す縦断面図である。
【図２】断熱防臭シートの正面図である。
【図３】図２の側面図である。
【図４】図２の斜視図である。
【図５】図１の弁部を示す部分拡大図である。
【図６】図３の弁部を示す部分拡大図である。
【符号の説明】
１  マンホール
３  受枠
４  蓋
１０  断熱防臭シート
１１  取付部
１２  胴部
１３  弁部
１３ｂ  側部
【図１】
2004225371.tif 000003
【図２】
2004225371.tif 000004
【図３】
2004225371.tif 000005
【図４】
2004225371.tif 000006
【図５】
2004225371.tif 000007
【図６】
2004225371.tif 000008